(57)【要約】      （修正有）【課題】  ビスを抹消できて、取付作業を簡便化でき、コストダウンを図れ、基板に対するホルダーの位置決めとメインプレートに対するホルダーの位置決めを簡単に行なうことができ、しかも取付た後のがたつきを抑えることができるホルダーの取付構造を提供する。【解決手段】  光ピックアップの位置を検出するための発光部と受光部を備えたフォトインタラプタ２が基板１に取付けられ、ホルダー３の左右両側に基板１に係止する係止爪５ａを先端部に有する水平向き係止片５、５が設けられ、ホルダー３の左右両側に下端部に係止爪６ａを有する下向き係止片６、６が設けられ、基板１の左右両側に穿設された係止溝１ａにホルダー３の左右両側の水平向き係止片５、５の係止爪５ａが係入係止され、メインプレート４の左右に穿設された係止孔４ａにホルダー３の左右両側の下向き係止片６、６が係入されて係止片６の係止爪６ａが係止されて、ホルダー３を取り付けるようにした。【選択図】図１
2005332534.tif 000002
【特許請求の範囲】
【請求項１】
光ピックアップの位置を検出するための発光部と受光部を備えたフォトインタラプタが基板に取付けられ、この基板がホルダーを介してメインプレートに取付けられるようにしたホルダーの取付構造において、前記ホルダーの左右両側に前記基板に係止するための係止爪を先端部に有する水平向き係止片が設けられており、前記ホルダーの左右両側に下端部に係止爪を有する下向き係止片が設けられていて、前記基板の左右両側に穿設された係止溝に前記ホルダーの左右両側の水平向き係止片の係止爪が係入係止されるとともに、前記メインプレートの左右に穿設された係止孔に前記ホルダーの左右両側の下向き係止片が係入されてこの係止片の係止爪が係止されることによって、前記ホルダーを取り付けるように構成したことを特徴とするホルダーの取付構造。
【請求項２】
前記ホルダーの左右両側の下向き係止片が、外向きに付勢されている請求項１に記載のホルダーの取付構造。
【発明の詳細な説明】
【技術分野】
【０００１】
本発明は、光ピックアップの位置を検出するための発光部と受光部を備えたフォトインタラプタが基板に取付けられ、この基板がホルダーを介してメインプレートに取付けられるようにしたホルダーの取付構造に関するものである。
【背景技術】
【０００２】
従来、この種のホルダーの取付構造は、図３（ａ）（ｂ）（ｃ）に示すように、光ピックアップの位置を検出するための発光部と受光部を備えたフォトインタラプタ１０１が基板１０２に取付けられ、この基板１０２がホルダー１０３を介してメインプレート１０４に取付けられている。更に、ホルダー１０３に基板１０２がビス１０５で取付固定され、ホルダー１０３がメインプレート１０４にビス１０５で取付固定されていた。
【０００３】
ところが、この従来のホルダーの取付構造においては、ビス１０５を２本使用していたので、部品点数が多くてコスト高になるという問題があった。また、ホルダー１０３に基板１０２を取り付けるときに、位置決めが行い難く、ホルダー１０３をメインプレート１０４に取り付けるときにも位置決めが行い難いという問題があった。
【０００４】
第１の従来技術を図４（ａ）（ｂ）に示す。この従来の基板取り付け構造は、図４（ａ）（ｂ）に示すように、少なくとも１つのサブ基板２０２をメイン基板２０１の面上に立てた状態で取り付けて、サブ基板２０２とメイン基板２０１とを電気的に接続する基板取り付け構造において、サブ基板２０２を保持すると共に、メイン基板２０１に固定する固定部材２３２ａ、２３２ｂを有する基板ホルダ２３０と、メイン基板２０１側にあって、固定部材２３２ａ、２３２ｂにより基板ホルダ２３０を支持するホルダ支持部３１２ａ、３１２ｂとを備え、サブ基板２０２は、基板ホルダ２３０によって保持された状態でメイン基板２０１に固定可能な構成とした。（例えば、特許文献１参照）。
【０００５】
ところが、これにおいては、サブ基板２０２と基板ホルダー２３０とが一体となってなくて、半田付けで固定しているものであった。このために、半田付けする工程が必要であり、面倒であるという問題があった。
【特許文献１】特開２００２−２５２４３８号公報
【発明の開示】
【発明が解決しようとする課題】
【０００６】
本発明は、上記従来の問題に鑑みてなされたものであって、ビスを抹消することができて、取付作業を簡便化することができて、コストダウンを図れ、基板に対するホルダーの位置決めとメインプレートに対するホルダーの位置決めを簡単に行なうことができ、しかも取付た後のがたつきを抑えることができるホルダーの取付構造を提供することを目的としている。
【課題を解決するための手段】
【０００７】
本発明は、上記課題を解決するために提案されたものであって、請求項１に記載の発明は、光ピックアップの位置を検出するための発光部と受光部を備えたフォトインタラプタが基板に取付けられ、この基板がホルダーを介してメインプレートに取付けられるようにしたホルダーの取付構造において、前記ホルダーの左右両側に前記基板に係止するための係止爪を先端部に有する水平向き係止片が設けられており、前記ホルダーの左右両側に下端部に係止爪を有する下向き係止片が設けられていて、前記基板の左右両側に穿設された係止溝に前記ホルダーの左右両側の水平向き係止片の係止爪が係入係止されるとともに、前記メインプレートの左右に穿設された係止孔に前記ホルダーの左右両側の下向き係止片が係入されてこの係止片の係止爪が係止されることによって、前記ホルダーを取り付けるように構成したことを特徴としている。
【０００８】
請求項２に記載の発明は、前記ホルダーの左右両側の下向き係止片が、外向きに付勢されている。
【発明の効果】
【０００９】
請求項１に記載の発明によれば、基板にホルダーを、ホルダーに設けられた左右両側の水平向き係止片で簡単に取り付けることができ、メインプレートにホルダーを、ホルダーに設けられた左右両側の下向き係止片で簡単に取り付けることができる。このため、ビスを抹消することができて、取付作業を簡便化することができて、コストダウンを図れ、基板に対するホルダーの位置決めとメインプレートに対するホルダーの位置決めを簡単に行なうことができ、しかも取付た後のがたつきを抑えることができる。
【００１０】
請求項２に記載の発明によれば、ホルダーの左右両側の下向き係止片が外向きに付勢されているので、このホルダーの左右両側の下向き係止片をメインプレートの左右の係止孔に係入係止した状態で、強固な状態でホルダーをメインプレートに取り付けることができ、ホルダーのがたつきを抑えることができる。
【発明を実施するための最良の形態】
【００１１】
以下、本発明に係るホルダーの取付構造の実施の形態について、図を参照しつつ説明する。
【００１２】
図１は本発明の実施形態のホルダーの取付構造を示し、（ａ）はその縦向きにした状態の部分側面図、（ｂ）はその部分平面図、（ｃ）はそのホルダーの正面図、図２は基板をホルダーに取り付けた状態の裏面図である。
【００１３】
本実施形態のホルダーの取付構造は、図１（ａ）（ｂ）（ｃ）に示すように、基板１には光ピックアップの位置を検出するための発光部と受光部を備えたフォトインタラプタ２が取り付けられている。この基板１がホルダー３を介してメインプレート４に取り付けられるようになっている。ホルダー３には、図１（ｂ）に示すように、その前部の左右両側に係止爪５ａを先端部に有する水平向き係止片５、５が設けられており、また、その後部の左右両側に係止爪６ａを下端部に有する下向き係止片６、６が設けられている。
【００１４】
基板１の左右両側に穿設された係止溝１ａ、１ａ（図２参照）に、ホルダー３の左右両側の水平向き係止片５、５の係入係止されている。また、図１（ａ）（ｃ）に示すように、メインプレート４の左右に穿設された係止孔４ａ、４ａにホルダー３の左右両側の下向き係止片６、６が係入されてその係止爪６ａ、６ａが係止されている。このことによって、基板１がホルダー３に取り付けられ、ホルダー３がメインプレート４に取り付けられている。
【００１５】
従って、本実施形態によれば、ビスを抹消することができて、ホルダー３の取付作業を簡便化することができて、コストダウンを図れ、基板１に対するホルダー３の位置決めとメインプレート４に対するホルダー３の位置決めを簡単に行なうことができ、しかも取付た後のがたつきを抑えることができる。
【００１６】
また、本実施形態では、ホルダー３の左右両側の下向き係止片６、６が外向きに付勢されている。このことにより、ホルダー３の左右両側の下向き係止片６、６をメインプレート４の左右の係止孔４ａ、４ａに係入係止された状態で、強固な状態でホルダー３をメインプレート４に取り付けることができ、ホルダー３のがたつきを抑えることができる。
【図面の簡単な説明】
【００１７】
【図１】本発明の実施形態のホルダーの取付構造を示し、（ａ）はその縦向きにした状態の部分側面図、（ｂ）はその部分平面図、（ｃ）はそのホルダーの正面図である。
【図２】基板をホルダーに取り付けた状態の裏面図である。
【図３】従来のホルダーの取付構造を示し、（ａ）はその縦向きにした状態の部分側面図、（ｂ）はその部分平面図、（ｃ）はそのホルダーの正面図である。
【図４】従来の基板取り付け構造を示し、（ａ）はその取り付け前の状態の分解斜視図、（ｂ）はその取り付け完了時の状態を示す斜視図である。
【符号の説明】
【００１８】
１      基板
１ａ    係止溝
２      フォトインタラプタ
３      ホルダー
４      メインプレート
４ａ    係止孔
５      水平向き係止片
５ａ    係止爪
６      下向き係止片
６ａ    係止爪
【図１】
2005332534.tif 000003
【図２】
2005332534.tif 000004
【図３】
2005332534.tif 000005
【図４】
2005332534.tif 000006